(57)【要約】【課題】無駄な手間を生じさせることなく、記憶領域の無駄な使用を防ぐことが可能なカメラ付端末装置を提供する。【解決手段】撮像手段が撮像した撮像画像を縮小した縮小撮像画像と、縮小撮像画像内の一部を拡大した画像とを表示した画像が表示手段に表示された後、記憶手段に撮像画像を記憶させるための記憶指示があった場合、記憶手段に撮像画像を記憶させる。【選択図】図５
2007174528.tif 000002
【特許請求の範囲】
【請求項１】
撮像対象を撮像するための撮像指示に応じて、前記撮像対象を撮像する撮像手段と、
画像を表示する表示手段と、
画像を記憶する記憶手段と、
前記撮像手段が撮像した撮像画像を縮小した縮小撮像画像と、前記縮小撮像画像内の一部を拡大した画像とを表示した画像を生成する画像生成手段と、
前記画像生成手段に生成された画像を前記表示手段に表示させる表示制御手段と、
前記画像生成手段に生成された画像が前記表示手段に表示された後、前記記憶手段に前記撮像画像を記憶させるための記憶指示があった場合、前記記憶手段に前記撮像画像を記憶させる画像格納手段とを備える、カメラ付端末装置。
【請求項２】
前記縮小撮像画像には枠が配置され、
前記縮小撮像画像内の一部は、前記縮小撮像画像に配置された前記枠内の画像である、請求項１に記載のカメラ付端末装置。
【請求項３】
前記枠を移動させる移動制御手段をさらに備え、
前記画像生成手段は、前記縮小撮像画像内に、移動した前記枠を配置した枠移動縮小撮像画像と、前記枠移動縮小撮像画像において、移動した前記枠内の画像を拡大した画像とを表示した画像を生成する、請求項２に記載のカメラ付端末装置。
【請求項４】
前記撮像画像内の１以上の特定部位を検出する検出手段をさらに備え、
前記画像生成手段は、前記１以上の特定部位のうちの１つの特定部位の位置に対応する前記縮小撮像画像内の位置に、前記枠を配置した枠配置縮小撮像画像と、前記枠配置縮小撮像画像に配置された前記枠内の画像を拡大した画像とを表示した画像を生成する、請求項２に記載のカメラ付端末装置。
【請求項５】
前記画像生成手段は、前記枠を移動させるための移動指示に応じて、前記１以上の特定部位のうちの前記１つの特定部位以外の特定部位の位置に対応する前記縮小撮像画像内の位置に、前記枠を配置した枠配置変更縮小撮像画像と、前記枠配置変更縮小撮像画像に配置された前記枠内の画像を拡大した画像とを表示した画像を生成する、請求項４に記載のカメラ付端末装置。
【請求項６】
前記枠のサイズを変更するサイズ変更手段をさらに備え、
前記画像生成手段は、前記縮小撮像画像内に、サイズが変更された前記枠を配置した枠変更縮小撮像画像と、前記枠変更縮小撮像画像において、前記サイズが変更された枠内の画像を拡大した画像とを表示した画像を生成する、請求項２〜請求項５のいずれかに記載のカメラ付端末装置。
【請求項７】
前記特定部位は、顔である、請求項４〜請求項６のいずれかに記載のカメラ付端末装置。
【発明の詳細な説明】
【技術分野】
【０００１】
本発明は、カメラ付端末装置に関し、特に、撮像した画像を表示する機能を備えるカメラ付端末装置に関する。
【背景技術】
【０００２】
携帯電話に搭載されるカメラ機能により撮像可能な画像の高解像度化が進みつつある。携帯電話は、液晶モニタ等の表示部を備えるが、表示部の解像度は、撮像された画像（以下、撮像画像ともいう）より解像度が低いのが一般的である。そのため、高品質な撮像画像を得るためには、たとえば、撮像画像内の被写体にピントがあっているか否かを確認するために撮像画像の一部を表示部に拡大表示させる必要がある。
【０００３】
拡大表示された、撮像画像の一部は、必ずしもユーザの所望する部分になるとは限らない。この場合、拡大表示された撮像画像を、スクロール表示させ、所望の部分を探すといった手間がユーザに生じる。
【０００４】
上記問題を解決するために、特開２００３−３４５３４０号公報（特許文献１）には、拡大画像と、拡大させる前の画像（以下、基準画像ともいう）とを同時に表示させる技術が開示されている。この技術により、ユーザは所望の部分の画質の確認を、素早く、かつ、容易に行なうことができる。
【特許文献１】特開２００３−３４５３４０号公報
【発明の開示】
【発明が解決しようとする課題】
【０００５】
しかしながら、特開２００３−３４５３４０号公報に記載の技術は、撮像して、一旦、メモリカードに記録した撮像画像を使用して、拡大画像と、基準画像とを同時に表示させている。
【０００６】
そのため、上記同時表示により、撮像画像が、たとえば、被写体にピントがあっていない、撮像に失敗した画像（以下、撮像失敗画像ともいう）であることが判明した場合にメモリカードの記憶領域の無駄な使用を防ぐためには、撮像失敗画像を削除するといった手間がユーザに生じるという問題がある。
【０００７】
本発明は、上述の問題点を解決するためになされたものであって、その目的は、無駄な手間を生じさせることなく、記憶領域の無駄な使用を防ぐことが可能なカメラ付端末装置を提供することである。
【課題を解決するための手段】
【０００８】
上述の課題を解決するために、この発明のある局面に従うカメラ付端末装置は、撮像対象を撮像するための撮像指示に応じて、撮像対象を撮像する撮像手段と、画像を表示する表示手段と、画像を記憶する記憶手段と、撮像手段が撮像した撮像画像を縮小した縮小撮像画像と、縮小撮像画像内の一部を拡大した画像とを表示した画像を生成する画像生成手段と、画像生成手段に生成された画像を表示手段に表示させる表示制御手段と、画像生成手段に生成された画像が表示手段に表示された後、記憶手段に撮像画像を記憶させるための記憶指示があった場合、記憶手段に撮像画像を記憶させる画像格納手段とを備える。
【０００９】
好ましくは、縮小撮像画像には枠が配置され、縮小撮像画像内の一部は、縮小撮像画像に配置された枠内の画像である。
好ましくは、枠を移動させる移動制御手段をさらに備え、画像生成手段は、縮小撮像画像内に、移動した枠を配置した枠移動縮小撮像画像と、枠移動縮小撮像画像において、移動した枠内の画像を拡大した画像とを表示した画像を生成する。
【００１０】
好ましくは、撮像画像内の１以上の特定部位を検出する検出手段をさらに備え、画像生成手段は、１以上の特定部位のうちの１つの特定部位の位置に対応する縮小撮像画像内の位置に、枠を配置した枠配置縮小撮像画像と、枠配置縮小撮像画像に配置された枠内の画像を拡大した画像とを表示した画像を生成する。
【００１１】
好ましくは、画像生成手段は、枠を移動させるための移動指示に応じて、１以上の特定部位のうちの１つの特定部位以外の特定部位の位置に対応する縮小撮像画像内の位置に、枠を配置した枠配置変更縮小撮像画像と、枠配置変更縮小撮像画像に配置された枠内の画像を拡大した画像とを表示した画像を生成する。
【００１２】
好ましくは、枠のサイズを変更するサイズ変更手段をさらに備え、画像生成手段は、縮小撮像画像内に、サイズが変更された枠を配置した枠変更縮小撮像画像と、枠変更縮小撮像画像において、サイズが変更された枠内の画像を拡大した画像とを表示した画像を生成する。
【００１３】
好ましくは、特定部位は、顔である。
【発明の効果】
【００１４】
本発明に係るカメラ付端末装置は、画像生成手段に生成された画像が表示手段に表示された後、記憶手段に撮像画像を記憶させるための記憶指示があった場合、記憶手段に撮像画像を記憶させる。
【００１５】
したがって、撮像画像が、撮像に失敗した画像である場合、記憶手段に撮像画像を記憶させる必要がない。そのため、撮像に失敗した画像を削除するといった無駄な手間をユーザに生じさせることなく、記憶手段の記憶領域の無駄な使用を防ぐことができるという効果を奏する。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
本発明のカメラ付端末装置は、撮像する機能を有する。本発明のカメラ付端末装置は、一例として、携帯電話機であるとする。なお、カメラ付端末装置は、携帯電話機に限定されることなく、撮像する機能を有する装置であればどのような装置であってもよい。たとえば、カメラ付端末装置は、デジタルスチルカメラ、ＰＤＡ（Personal Digital Assistance）等であってもよい。
【００１８】
＜第１の実施の形態＞
図１は、開いた状態のカメラ付端末装置１０００を正面から示した図である。図１を参照して、カメラ付端末装置１０００は、第１の筐体１００と、第２の筐体２００とから構成される。第１の筐体１００と、第２の筐体２００とは、連結部５０により折り畳み可能なように連結される。
【００１９】
図２は、閉じた状態のカメラ付端末装置１０００の斜視図である。図２を参照して、図１の開いた状態のカメラ付端末装置１０００を折りたたむと、図２のような状態になる。
【００２０】
再び、図１を参照して、第１の筐体１００は、メイン表示部１１０Ａと、スピーカ１５０とを備える。メイン表示部１１０Ａは、各種情報を、文字や画像等で表示する機能を有する。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００２１】
スピーカ１５０は、通話の時に使用されるスピーカである。
第２の筐体２００は、メイン操作ボタン群である機能ボタン群２３０と、メイン操作ボタン群である入力ボタン群２４０と、マイク２６０とを備える。
【００２２】
機能ボタン群２３０は、カメラ付端末装置１０００の各種設定、機能切替等を行なうための複数のボタンを含む。機能ボタン群２３０は、機能ボタン２３１，２３２と、ボタン２３３，２３４と、マルチガイドボタン２３５とを含む。
【００２３】
詳細は後述するが、カメラ付端末装置１０００は、カメラモードと、音楽モードと、ラジオモードと、テレビモードと、リモコンモードと、通常モードとを有する。カメラモードは、カメラ付端末装置１０００において撮像処理を行なうことが可能なモードである。音楽モードは、カメラ付端末装置１０００において音楽を聴取可能なモードである。ラジオモードは、カメラ付端末装置１０００においてラジオを聴取可能なモードである。テレビモードは、カメラ付端末装置１０００においてテレビを視聴可能なモードである。リモコンモードは、電気機器を無線（たとえば、赤外線）により制御するモードである。なお、リモコンモードにおいても、端末装置１０００において、ラジオの聴取、テレビの視聴は可能である。
【００２４】
通常モードは、カメラ付端末装置１０００が、カメラモード、音楽モード、ラジオモード、テレビモードおよびリモコンモードのいずれでもないときのモードである。
【００２５】
機能ボタン２３１は、ユーザによる短時間（たとえば、０．５秒未満）の押下操作（以下、短押操作ともいう）によりネットワーク関連等のプログラムを起動させるためのボタンである。また、機能ボタン２３１は、ユーザによる長時間（たとえば、１秒以上）の押下操作（以下、長押操作ともいう）により、カメラ付端末装置１０００をカメラモードに設定するためのボタンである。なお、カメラ付端末装置１０００がカメラモードである場合に、機能ボタン２３１の長押操作があると、カメラ付端末装置１０００は、カメラモードから通常モードにモードが変更される。
【００２６】
機能ボタン２３２は、短押操作により電子メールのプログラムを起動させるためのボタンである。
【００２７】
機能ボタン２３２は、カメラ付端末装置１０００が通常モードである場合、長押操作毎に、カメラ付端末装置１０００を、音楽モード、ラジオモード、テレビモード、リモコンモード、通常モードの順に切替えるためのボタンである。なお、モードの切替わる順序は、上記の順に限定されることなく、任意の順序でもよい。
【００２８】
ボタン２３３は、カメラ付端末装置１０００に電話がかかってきた場合、短押操作により通話開始を行なうためのボタンである。
【００２９】
ボタン２３４は、カメラ付端末装置１０００が通話中である場合、短押操作により通話を終了させるためのボタンである。また、ボタン２３４は、長押操作により、カメラ付端末装置１０００の電源のオンとオフとの切替えを行なうためのボタンである。
【００３０】
マルチガイドボタン２３５は、方向ボタン２３５Ａ，２３５Ｂ，２３５Ｃ，２３５Ｄと、決定ボタン２３５Ｅとを含む。方向ボタン２３５Ａ，２３５Ｂ，２３５Ｃ，２３５Ｄは、短押操作により、メイン表示部１１０Ａに画像が表示されている場合、画像内の移動させる対象となる物（たとえば、カーソル等）を上下左右に移動させるためのボタンである。具体的には、短押操作があった、方向ボタン２３５Ａ，２３５Ｂ，２３５Ｃ，２３５Ｄは、たとえば、カーソルを、それぞれ、上，下，左，右に移動させるためのボタンである。
【００３１】
決定ボタン２３５Ｅは、短押操作により、たとえば、方向ボタン２３５Ａ，２３５Ｂ，２３５Ｃ，２３５Ｄの短押操作により選択された項目等を決定するためのボタンである。
【００３２】
入力ボタン群２４０は、短押操作により、数字、文字および記号等を入力するための複数のボタンから構成される。
【００３３】
マイク２６０は、通話の時に使用されるマイクである。
再び、図２を参照して、第２の筐体２００は、サブ表示部１１０Ｂと、サブ操作ボタン群１３０と、サイドボタン１３２と、ＬＥＤ１４０と、スピーカ１５２と、記録媒体挿入部１８０とを備える。
【００３４】
サブ表示部１１０Ｂは、各種情報を、文字や画像等で表示する機能を有する。サブ表示部１１０Ｂは、メイン表示部１１０Ａと同様の表示機器であるので詳細な説明は繰り返さない。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３５】
サブ操作ボタン群１３０は、ボタン１３０Ａ，１３０Ｂ，１３０Ｃ，１３０Ｄを含む。ボタン１３０Ａは、カメラ付端末装置１０００が音楽モードであり、かつ、音楽データが再生中の場合、短押操作により、再生中の音楽データの先頭から再生を開始させるためのボタンである。また、ボタン１３０Ａは、短押操作により、サブ表示部１１０Ｂに画像が表示されている場合、画像内の移動させる対象となる物（たとえば、カーソル等）を左に移動させるためのボタンである。
【００３６】
ボタン１３０Ｂは、カメラ付端末装置１０００が、カメラモード、音楽モード、ラジオモード、テレビモード、リモコンモード、通常モードおよび電源オフ状態のいずれであっても使用可能なボタンである。詳細は後述するが、ボタン１３０Ｂは、たとえば、カメラ付端末装置１０００が音楽モードであり、かつ、音楽データが再生中の場合、短押操作により、音楽データの再生を一時停止させるためのボタンである。また、ボタン１３０Ｂは、たとえば、カメラ付端末装置１０００が音楽モードであり、かつ、音楽データが再生されていない場合、短押操作により、音楽データの再生を開始させるためのボタンである。
【００３７】
ボタン１３０Ｃは、カメラ付端末装置１０００が音楽モードであり、かつ、音楽データが再生中の場合、短押操作により、再生中の音楽データの次の音楽データの先頭から再生を開始させるためのボタンである。また、ボタン１３０Ｃは、短押操作により、サブ表示部１１０Ｂに画像が表示されている場合、画像内の移動させる対象となる物（たとえば、カーソル等）を右に移動させるためのボタンである。
【００３８】
ボタン１３０Ｄは、短押操作により、サブ表示部１１０Ｂに、たとえば、画像Ａが表示されている場合、サブ表示部１１０Ｂに、画像Ａが表示される前の画像（たとえば、画像Ｂ）を表示させるためのボタンである。
【００３９】
ＬＥＤ１４０は、カメラ付端末装置１０００で行なわれる処理に応じて、光による報知を行なう。たとえば、ＬＥＤ１４０は、電話の着信があった場合、光を点滅させる。
【００４０】
スピーカ１５２は、カメラ付端末装置１０００のモード対応した音声を出力する機能を有する。たとえば、カメラ付端末装置１０００が音楽モードの場合、スピーカ１５２は、再生されている音楽データの音声を出力する。
【００４１】
サイドボタン１３２は、アップボタン１３２Ａと、ダウンボタン１３２Ｂとを含む。アップボタン１３２Ａは、短押操作により、カメラ付端末装置１０００のモードに関わらず、カメラ付端末装置１０００から出力される音声の音量を大きくするためのボタンである。また、アップボタン１３２Ａは、短押操作により、サブ表示部１１０Ｂに画像が表示されている場合、画像内の移動させる対象となる物（たとえば、カーソル等）を上に移動させるためのボタンである。
【００４２】
ダウンボタン１３２Ｂは、短押操作により、カメラ付端末装置１０００のモードに関わらず、カメラ付端末装置１０００から出力される音声の音量を小さくするためのボタンである。また、ダウンボタン１３２Ｂは、短押操作により、短押操作により、サブ表示部１１０Ｂに画像が表示されている場合、画像内の移動させる対象となる物（たとえば、カーソル等）を下に移動させるためのボタンである。
【００４３】
記録媒体挿入部１８０は、カメラ付端末装置１０００に後述する記録媒体を挿入する部分である。
【００４４】
なお、カメラ付端末装置１０００は、上記構成に限定されることなく、たとえば、メイン表示部１１０Ａおよびサブ表示部１１０Ｂのいずれか一方のみを備える構成であってもよい。
【００４５】
図３は、閉じた状態のカメラ付端末装置１０００の背面図である。図３を参照して、第２の筐体２００は、さらに、撮像部２７０と、発光部２７２とを備える。
【００４６】
撮像部２７０は、撮像対象となる被写体を撮像する撮像処理を行なう機能を有する。撮像部２７０は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４７】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４８】
撮像処理では以下の処理が行なわれる。まず、撮像部２７０が、撮像対象となる被写体に反射されて撮像レンズに入射した光を、カラーフィルタ部を介して、受光部に入力させる。受光部は入力された光を電気信号に変換する。そして、撮像部２７０は、変換した電気信号をデジタルデータ（以下、撮像画像データともいう）に変換する。
【００４９】
発光部２７２は、撮像部２７０が撮像するときに、必要に応じて、光を発する。
図４は、カメラ付端末装置１０００の内部構成を示したブロック図である。図４を参照して、カメラ付端末装置１０００は、さらに、通信部３１０と、チューナ３２０と、記憶部３３０と、一時記憶部３３２と、記録媒体アクセス部３３４と、記録媒体７０と、制御部３４０と、音声処理部３５０と、振動部３７０と、傾斜測定部３８０とを備える。
【００５０】
記憶部３３０には、制御部３４０に後述する処理を行なわせるためのプログラム７２、その他各種プログラムおよびデータ等が記憶されている。プログラム７２は、たとえば、制御プログラム、画像処理プログラム、カメラプログラム、音楽再生プログラム、ラジオプログラム、テレビプログラム、電子メールプログラム、ゲームプログラム、ＷＥＢブラウザプログラム、動画再生プログラム、リモコンプログラム等である。
【００５１】
カメラプログラムは、カメラ付端末装置１０００がカメラモードの場合に実行されるプログラムである。音楽再生プログラムは、カメラ付端末装置１０００が音楽モードの場合に実行されるプログラムである。ラジオプログラムは、カメラ付端末装置１０００がラジオモードまたはリモコンモードの場合に実行されるプログラムである。テレビプログラムは、カメラ付端末装置１０００がテレビモードの場合に実行されるプログラムである。電子メールプログラム、ゲームプログラム、ＷＥＢブラウザプログラムおよび動画再生プログラムの各々は、カメラ付端末装置１０００が通常モードの場合に実行されるプログラムである。なお、ＷＥＢブラウザプログラムは、端末装置１０００がリモコンモードの場合にも実行されるプログラムである。
【００５２】
以下においては、カメラプログラム、音楽再生プログラム、ラジオプログラム、テレビプログラム、電子メールプログラム、ゲームプログラム、ＷＥＢブラウザプログラム、動画再生プログラムおよびリモコンプログラムを、アプリケーションプログラムともいう。なお、アプリケーションプログラムは、上記プログラムのみに限定されることはない。
【００５３】
記憶部３３０は、制御部３４０によりデータアクセスされる。記憶部３３０は、電源を供給されなくてもデータを不揮発的に保持可能な媒体（たとえば、フラッシュメモリ）である。
【００５４】
制御部３４０は、記憶部３３０に記憶されたプログラム７２に従って、カメラ付端末装置１０００内の各部に対する各種処理や、演算処理等を行なう機能を有する。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００５５】
制御部３４０は、機能ボタン群２３０のうち、短押操作または長押操作があったボタンに対応するボタン信号を受信する。また、制御部３４０は、入力ボタン群２４０のうち、短押操作または長押操作があったボタンに対応するボタン信号を受信する。また、制御部３４０は、サブボタン群１３０のうち、短押操作または長押操作があったボタンに対応するボタン信号を受信する。制御部３４０は、短押操作または長押操作があったサイドボタン１３２のアップボタン１３２Ａおよびダウンボタン１３２Ｂのいずれかに対応する信号を受信する。制御部３４０は、受信したボタン信号に応じた処理を行なう。
【００５６】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００５７】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ送信する。また、通信部３１０は、無線通信用電波を送信する場合、制御部３４０からデータ（たとえば、音声データ）を受信し、当該データを、所定のプロトコルに基づいて、無線通信用電波に変換する。そして、通信部３１０は、変換した無線通信用電波を、送信先となる基地局へ送信する。
【００５８】
通信部３１０は、基地局と通信を行なうことで、基地局の位置を示す情報（以下、基地局位置情報ともいう）も取得可能である。通信部３１０は、制御部３４０からの制御指示に応じて、取得した基地局位置情報を、制御部３４０へ送信する。制御部３４０は、受信した基地局位置情報に基づいて、カメラ付端末装置１０００の位置を大まかに把握することができる。
【００５９】
また、通信部３１０は、ＧＰＳ（Global Positioning System）機能を有する。ＧＰＳ（Global Positioning System）機能とは、人口衛星と通信して、カメラ付端末装置１０００の位置（緯度、経度、高度等に基づく位置）の情報（以下、ＧＰＳ位置情報ともいう）を取得する機能である。通信部３１０は、制御部３４０からの制御指示に応じて、ＧＰＳ位置情報を取得し、制御部３４０へ送信する。
【００６０】
また、通信部３１０は、無線データ通信機能を有する。無線データ通信機能は、ブルートゥース（Bluetooth）を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００６１】
また、無線データ通信機能は、赤外線を使用して、無線でデータ通信を行なう機能も有する。通信部３１０は、制御部３４０からの制御指示に応じて、赤外線を使用して、電気機器に対応したリモコン信号を、対応する電気機器へ送信する。これにより、端末装置１０００は、電気機器のリモコン制御も行なうことができる。なお、電気機器のリモコン信号のデータは、予め、記憶部３３０に記憶されている。
【００６２】
また、電気機器のリモコン信号は、通信部３１０を利用して、端末装置１０００に学習させることもできる。以下においては、端末装置１０００に学習させたリモコン信号を学習リモコン信号ともいう。端末装置１０００にリモコン信号を学習させるためには、まず、リモコン信号を、通信部３１０により受信させる。制御部３４０は、受信したリモコン信号のデータを、学習リモコン信号のデータとして、記憶部３３０に記憶させる。
【００６３】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。
【００６４】
制御部３４０は、カメラ付端末装置１０００がテレビモードである場合、テレビジョンデータを受信し、メイン表示部１１０Ａに、テレビジョンデータに基づく画像を表示させる。同時に、制御部３４０は、スピーカ１５２から、テレビジョンデータに基づく音声を出力させる。
【００６５】
また、通信部３１０は、ラジオ信号である放送信号電波を受信した場合、放送信号電波を、チューナ３２０へ送信する。チューナ３２０は、ラジオの信号である放送信号電波を受信した場合、制御部３４０により指示された、周波数のラジオ局の音声信号をデジタルデータ（以下、ラジオデータともいう）に変換して、制御部３４０へ送信する。変換されたラジオデータには、音声データが含まれる。なお、テレビジョンデータおよびラジオデータは、コンテンツデータである。
【００６６】
制御部３４０は、カメラ付端末装置１０００がラジオモードである場合、ラジオデータを受信し、スピーカ１５２から、ラジオデータに基づく音声を出力させる。
【００６７】
なお、カメラ付端末装置１０００は、ラジオ局のオートスキャンおよびテレビチャンネルのオートスキャンを行なう機能を有する。ラジオ局のオートスキャンは、基地局位置情報またはＧＰＳ位置情報に基づく位置において、制御部３４０が、受信可能な複数のラジオ局を自動で設定する処理である。
【００６８】
具体的には、制御部３４０が、所定の周波数ずつ変化させた周波数の情報をチューナ３２０へ、所定の時間（たとえば、２秒）間隔で、順次、送信する。チューナ３４０は、周波数の情報を受信する毎に、周波数の情報に基づいたラジオデータを制御部３４０へ送信する。制御部３４０は、順次受信するラジオデータに基づく音声のノイズのレベルが所定レベル以下であれば、対応するラジオデータの周波数を記憶部３３０に記憶させる。以上の処理が繰り返されることにより、複数のラジオ局の周波数の情報が自動で記憶（登録）される。
【００６９】
また、テレビチャンネルのオートスキャンは、基地局位置情報またはＧＰＳ位置情報に基づく位置において、制御部３４０が、受信可能な複数のテレビのチャンネルを自動で設定する処理である。複数のテレビのチャンネルを自動で設定する処理は、前述のラジオ局を自動で登録する処理と同様なので詳細な説明は繰り返さない。
【００７０】
一時記憶部３３２は、データを一時的に記憶する機能を有する。一時記憶部３３２は、画像処理部１００および制御部１２０によってデータアクセスされ、ワークメモリとして動作する。一時記憶部３３２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００７１】
記録媒体７０には、前述したプログラム７２、コンテンツデータ等が記録されている。コンテンツデータは、たとえば、音楽データ、動画像データ等である。記録媒体７０が、前述の記録媒体挿入部１８０からカメラ付端末装置１０００に挿入（装着）されると、記録媒体アクセス部３３４は、記録媒体７０にデータアクセス可能となる。
【００７２】
記録媒体アクセス部３３４は、プログラム７２が記録された記録媒体７０から、制御部３４０の制御指示に応じて、プログラム７２を読出す機能を有する。記録媒体７０に記憶されているプログラム７２は、制御部３４０のインストール処理により、記録媒体アクセス部３３４で読み出され、記憶部３３０に記憶される。
【００７３】
このインストール処理用プログラムは、予め、記憶部３３０に格納されており、インストール処理は、制御部３４０が、インストール処理用プログラムに基づいて行なう。
【００７４】
なお、記憶部３３０には、プログラム７２が記憶されていなくてもよい。この場合、制御部３４０は、記録媒体アクセス部３３４を介して、記録媒体７０に記憶されたプログラム７２を読み出して、プログラム７２に基づいた所定の処理を行なう。
【００７５】
また、通信部３１０を利用して、基地局またはインターネットなどの外部のネットワークから、プログラムのダウンロード処理を行ない、記憶部３３０に格納することもできる。この場合、当該ダウンロードしたプログラムは、プログラム７２である。
【００７６】
制御部３４０は、基地局またはインターネットなどの外部のネットワークからダウンロードしたプログラム（プログラム７２）に従って、所定の処理を行なう。このダウンロード用プログラムは、予め、記憶部３３０に格納されており、ダウンロード処理は、制御部３４０が、ダウンロード用プログラムに基づいて行なう。
【００７７】
記録媒体７０は、カメラ付端末装置１０００から着脱可能な媒体である。すなわち、記録媒体７０に記録されているプログラム７２は、媒体等に記録されてプログラム製品として流通される。また、記録媒体７０もプログラム製品として流通される。
【００７８】
記録媒体７０は、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、その他不揮発性メモリのいずれであってもよい。
【００７９】
このように、カメラ付端末装置１０００から着脱可能な記録媒体を使用することにより、ユーザが設定したデータ、プログラム、その他各種データを、他のカメラ付端末装置に移送することができる。
【００８０】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００８１】
制御部３４０が、デジタル音声データを音声処理部３５０へ送信すると、音声処理部３５０は受信したデジタル音声データをアナログ音声信号に変換する。そして、音声処理部３５０は変換したアナログ音声信号を制御部３４０により指示されたスピーカから出力させる。
【００８２】
また、ユーザがマイク２６０に対して音声を発すると、当該音声に応じたアナログ音声信号が、音声処理部３５０へ送信される。音声処理部３５０は、マイク２６０から、アナログ音声信号を受信すると、受信したアナログ音声信号をデジタル音声データに変換して、制御部３４０へ送信する。
【００８３】
また、制御部３４０は、ユーザがマイク２６０に対して発した言葉からなる音声をボイスデータとして、記憶部３３０に登録する機能を有する。そして、ユーザが、記憶部３３０に登録されたボイスデータに基づく音声と同等な言葉からなる音声を、マイク２６０を使用して入力させることで、制御部３４０は、ボイスデータに対応した処理を行なう。記憶部３３０に登録されているボイスデータは、たとえば、「メール」という言葉からなる音声であるとする。この場合、制御部３４０は、「メール」という言葉からなる音声が、マイク２６０から入力されると、たとえば、電子メールのプログラムを起動させる。
【００８４】
メイン表示部１１０Ａは、制御部３４０から送信された画像データを受信すると、受信した画像データに基づく画像を表示する。サブ表示部１１０Ｂは、制御部３４０から送信された画像データを受信すると、受信した画像データに基づく画像を表示する。
【００８５】
ＬＥＤ１４０は、制御部３４０からの制御指示に基づいて、光を発する。
撮像部２７０は、制御部３４０からの制御指示に基づいて、前述の撮像処理を行ない、撮像画像データを制御部３４０へ送信する。制御部３４０は、撮像画像データを受信すると、撮像画像データを、一時記憶部３３２、記憶部３３０および記録媒体７０のいずれかに記憶させる。
【００８６】
振動部３７０は、制御部３４０からの制御指示に基づいて、カメラ付端末装置１０００を振動させる機能を有する。振動部３７０は、たとえば、電話の着信、電子メールの受信時に、制御部３４０からの制御指示に基づいて、カメラ付端末装置１０００を振動させる。
【００８７】
傾斜測定部３８０は、２方向の重力加速度を検出することにより、カメラ付端末装置１０００の傾斜状態を測定する機能を有する。傾斜測定部３８０は、たとえば、重力加速度センサーである。
【００８８】
重力加速度センサーは、重力加速度を検出する１以上の方向を有する。この検出方向を軸と呼ぶ。１個の軸を有する重力加速度センサーを、１軸の重力加速度センサーと呼ぶ。２個および３個の軸を有する重力加速度センサーを、それぞれ、２軸の重力加速度センサーおよび３軸の重力加速度センサーと呼ぶ。重力加速度センサーが有する２個以上の軸は、互いに直交する。本実施の形態における傾斜測定部３８０は、２軸の重力加速度センサーである。なお、傾斜測定部３８０は、２軸の重力加速度センサーに限定されることなく、１軸または３軸の重力加速度センサーであってもよい。
【００８９】
傾斜測定部３８０は、所定時間（たとえば、０．２秒）毎に、カメラ付端末装置１０００の傾斜状態を示す傾斜状態データを、制御部３４０へ送信する。制御部３４０は、傾斜状態データを受信することで、カメラ付端末装置１０００の傾斜状態を判定することが可能となる。
【００９０】
次に、制御部３４０が、前述のアプリケーションプログラムに基づいて行なう処理（以下、アプリケーション処理ともいう）の具体的な処理内容について説明する。
【００９１】
アプリケーション処理に基づく画像は、カメラ付端末装置１０００が図１の状態の場合、メイン表示部１１０Ａに表示される。アプリケーション処理に基づく画像は、カメラ付端末装置１０００が図２の状態の場合、サブ表示部１１０Ｂに表示される。
【００９２】
アプリケーションプログラムが、カメラプログラムの場合、アプリケーション処理では、たとえば、ユーザのボタン操作に応じて、撮像部２７０が、前述した撮像処理を行なう。撮像処理により、撮像部２７０が変換した撮像画像データは、制御部３４０へ送信される。
【００９３】
アプリケーションプログラムが、音楽再生プログラムの場合、アプリケーション処理では、たとえば、ユーザのボタン操作に応じて、音楽データの再生処理および停止処理、音楽データのリスト表示処理等が行なわれる。
【００９４】
アプリケーションプログラムが、ラジオプログラムの場合、アプリケーション処理では、たとえば、ユーザのボタン操作に応じて、選局されたラジオ局の音声がスピーカ１５２から出力される。
【００９５】
アプリケーションプログラムが、テレビプログラムの場合、アプリケーション処理では、たとえば、ユーザのボタン操作に応じて、選局されたチャンネルの画像が、メイン表示部１１０Ａに表示される。また、同時に、選局されたチャンネルの音声がスピーカ１５２から出力される。
【００９６】
アプリケーションプログラムが、電子メールプログラムの場合、アプリケーション処理では、たとえば、ユーザのボタン操作に応じて、電子メールの受信処理、電子メールの作成処理、電子メールの送信処理、電子メールの閲覧処理等が行なわれる。
【００９７】
アプリケーションプログラムが、ゲームプログラムの場合、アプリケーション処理では、たとえば、ユーザのボタン操作に応じて、ゲームが実行される。
【００９８】
アプリケーションプログラムが、ＷＥＢブラウザプログラムの場合、アプリケーション処理では、たとえば、ユーザのボタン操作に応じて、ＷＥＢサイトにアクセスし、ＷＥＢページがメイン表示部１１０Ａに表示される。
【００９９】
アプリケーションプログラムが、動画再生プログラムの場合、アプリケーション処理では、たとえば、ユーザのボタン操作に応じて、動画像（たとえば、ＭＰＥＧ２形式の動画像）ファイルに基づく動画が、表示部１１０Ａに表示される。
【０１００】
アプリケーションプログラムが、リモコンプログラムの場合、アプリケーション処理では、たとえば、ユーザのボタン操作に応じて、予め設定されたリモコン信号が、通信部３１０から出力される。電気機器は、リモコン信号を受信すると、受信したリモコン信号に応じた処理を行なう。
【０１０１】
次に、カメラ付端末装置１０００がカメラモードの場合に実行されるアプリケーション処理（以下、カメラモード時処理ともいう）について説明する。カメラ付端末装置１０００がカメラモードで、かつ、カメラ付端末装置１０００が図１の状態の場合、決定ボタン２３５Ｅはシャッターボタンとして動作する。カメラ付端末装置１０００がカメラモードで、かつ、カメラ付端末装置１０００が図２の状態の場合、アップボタン１３２Ａはシャッターボタンとして動作する。
【０１０２】
また、カメラ付端末装置１０００がカメラモードで、かつ、カメラ付端末装置１０００が図１の状態でかつ、メイン表示部１１０Ａに複数の撮像画像が表示されている場合、決定ボタン２３５Ｅは保存ボタンとして動作する。以下、本実施の形態では、カメラ付端末装置１０００が図１の状態であるとして説明する。
【０１０３】
また、カメラ付端末装置１０００がカメラモードで、かつ、カメラ付端末装置１０００が図１の状態の場合、ボタン２３３は撮像した画像を拡大することが可能な状態にするための拡大ボタンとして動作する。
【０１０４】
また、カメラ付端末装置１０００がカメラモードで、かつ、カメラ付端末装置１０００が図１の状態の場合、アップボタン１３２Ａおよびダウンボタン１３２Ｂは、後述する拡大枠のサイズを変更するための枠サイズ変更ボタンとして動作する。
【０１０５】
また、カメラ付端末装置１０００がカメラモードで、かつ、カメラ付端末装置１０００が図１の状態の場合、ボタン２３４は、実行中の処理を中断するための処理中断ボタンとして動作する。以下、カメラモード時処理が開始される直前には、撮像部２７０が撮像している画像が、メイン表示部１１０Ａに表示されているとする。
【０１０６】
図５は、カメラモード時処理のフローチャートを示す。図５を参照して、ステップＳ１１０では、撮像指示があるか否かが判定される。具体的には、制御部３４０が、シャッターボタンとしての決定ボタン２３５Ｅの長押操作があるか否かを判定する。ステップＳ１１０において、ＹＥＳならば、ステップＳ１１２に進む。一方、ステップＳ１１０において、ＮＯならば、再度、ステップＳ１１０の処理が行なわれる。
【０１０７】
ステップＳ１１２では、撮像画像データ一時記憶処理が行なわれる。撮像画像データ一時記憶処理では、制御部３４０が、撮像画像データを取得するための制御指示を、撮像部２７０へ送信する。撮像部２７０は、当該制御指示を受信すると、前述の受光部により得られた電気信号を撮像画像データに変換する。
【０１０８】
図６は、カメラモード時処理において、メイン表示部１１０Ａに表示される画像を示す図である。図６を参照して、画像Ｇ１１０は、ステップＳ１１２により得られた撮像画像データに基づく撮像画像Ｇ１１２が配置された画像である。なお、画像Ｇ１１０には、ボタン画像Ｇ１１８も配置される。ボタン画像Ｇ１１８は、機能ボタン２３１の短押操作により、メイン表示部１１０Ａに、各種設定または各種処理を行なうための画像を表示させるためのボタン画像である。
【０１０９】
再び、図５を参照して、ステップＳ１１２では、さらに、撮像部２７０が、変換した撮像画像データを、制御部３４０へ送信する。制御部３４０は、撮像画像データを受信すると、撮像画像データを、一時記憶部３３２に記憶させる。その後、ステップＳ１１４に進む。
【０１１０】
ステップＳ１１４では、撮像画像表示処理が行なわれる。撮像画像表示処理では、制御部３４０が、一時記憶部３３２に記憶された撮像画像データに基づく撮像画像を表示した画像を生成する。生成された画像は、たとえば、図６の画像Ｇ１１０である。撮像画像は、たとえば、図６の撮像画像Ｇ１１２である。そして、制御部３４０は、画像Ｇ１１０を、メイン表示部１１０Ａに表示させる。その後、ステップＳ１１６に進む。
【０１１１】
ステップＳ１１６では、制御部３４０により、処理終了判定処理が実行される。処理終了判定処理は、カメラモード時処理が終了するまで、カメラモード時処理と並列して同時に実行される処理である。なお、処理終了判定処理の処理については後述する。その後、ステップＳ１２０に進む。
【０１１２】
ステップＳ１２０では、制御部３４０が、前述の拡大ボタンとして動作するボタン２３３の短押操作があったか否かを判定する。ステップＳ１２０において、ＹＥＳならば、ステップＳ１２２に進む。一方、ステップＳ１２０において、ＮＯならば、再度、ステップＳ１２０の処理が行なわれる。
【０１１３】
ステップＳ１２２では、拡大枠の表示が行なわれる。ここで、拡大枠とは、拡大枠内の画像を拡大して表示するための枠である。
【０１１４】
再び、図６を参照して、画像Ｇ１１０Ａは、撮像画像Ｇ１１２に拡大枠ＧＳ１０が配置された撮像画像Ｇ１１２Ａを表示する画像である。
【０１１５】
再び、図６を参照して、ステップＳ１２２で行なわれる具体的な処理を説明する。まず、制御部３４０が、撮像画像に拡大枠を配置した画像を生成する。生成された画像は、たとえば、図６の画像Ｇ１１０Ａである。そして、制御部３４０は、画像Ｇ１１０Ａを、メイン表示部１１０Ａに表示させる。その後、ステップＳ１２４に進む。
【０１１６】
ステップＳ１２４では、制御部３４０が、拡大ボタンとして動作するボタン２３３の短押操作があったか否かを判定する。ステップＳ１２４において、ＹＥＳならば、ステップＳ１２６に進む。一方、ステップＳ１２４において、ＮＯならば、再度ステップＳ１２４の処理が行なわれる。
【０１１７】
ステップＳ１２６では、複数画像同時表示処理が行なわれる。複数画像同時表示処理では、制御部３４０が、撮像画像を縮小した縮小撮像画像と、縮小撮像画像に配置された拡大枠内の画像を拡大した画像とを表示した画像（以下、複数同時表示画像ともいう）を生成する。以下においては、拡大枠内の画像を拡大した画像を、部分拡大画像ともいう。
【０１１８】
図７は、カメラモード時処理において、メイン表示部１１０Ａに表示される画像を示す図である。図７を参照して、画像Ｇ１２０は、一例としての複数同時表示画像である。画像Ｇ１２０には、撮像画像Ｇ１１２Ａを縮小した縮小撮像画像Ｇ１２１と、縮小撮像画像Ｇ１２１内に配置された拡大枠ＧＳ１０内の画像を拡大した部分拡大画像Ｇ１２２とが配置される。なお、拡大枠ＧＳ１０は、撮像画像Ｇ１１２Ａ内に配置された拡大枠ＧＳ１０の位置と対応する、縮小撮像画像Ｇ１２１内の位置に配置される。すなわち、縮小撮像画像Ｇ１２１内に配置された拡大枠ＧＳ１０内の画像は、撮像画像Ｇ１１２Ａ内に配置された拡大枠ＧＳ１０内の画像を縮小したものである。すなわち、縮小撮像画像Ｇ１２１内に配置された拡大枠ＧＳ１０内の画像と、撮像画像Ｇ１１２Ａ内に配置された拡大枠ＧＳ１０内の画像とは対応関係にある。
【０１１９】
縮小撮像画像Ｇ１２１内に配置された拡大枠ＧＳ１０は、方向ボタン２３５Ａ，２３５Ｂ，２３５Ｃ，２３５Ｄの短押操作により、それぞれ、上，下，左，右に移動する。それに伴い、部分拡大画像Ｇ１２２も変化する。なお、画像Ｇ１２０には、さらに、前述のボタン画像Ｇ１１８も配置される。
【０１２０】
再び、図６を参照して、ステップＳ１２６の複数画像同時表示処理では、さらに、制御部３４０が、生成した複数同時表示画像を、メイン表示部１１０Ａに表示させる。複数同時表示画像は、たとえば、図７の画像Ｇ１２０である。その後、ステップＳ１３０に進む。
【０１２１】
ステップＳ１３０では、方向ボタンの操作があるか否かが判定される。具体的には、制御部３４０が、方向ボタン２３５Ａ，２３５Ｂ，２３５Ｃ，２３５Ｄのいずれかの短押操作があったか否かを判定する。ステップＳ１３０において、ＹＥＳならば、ステップＳ１３２に進む。一方、ステップＳ１３０において、ＮＯならば、後述するステップＳ１３４に進む。
【０１２２】
ステップＳ１３２では、画像更新処理が行なわれる。画像更新処理では、制御部３４０が、縮小撮像画像内に配置された拡大枠を、ステップＳ１３０において短押操作があった方向ボタンに対応する方向へ移動させた縮小撮像画像と、縮小撮像画像に配置された拡大枠内の画像を拡大した画像とを表示した複数同時表示画像を生成する。
【０１２３】
ステップＳ１３０において、たとえば、方向ボタン２３５Ａの短押操作があった場合、制御部３４０は、たとえば、図７の縮小撮像画像Ｇ１２１内の拡大枠ＧＳ１０を、所定画素（たとえば、２画素）だけ、上に移動させた縮小撮像画像と、縮小撮像画像に配置された拡大枠内の画像を拡大した画像とを、表示した複数同時表示画像を生成する。そして、制御部３４０は、生成した複数同時表示画像を、メイン表示部１１０Ａに表示させる。その後、ステップＳ１３４へ進む。
【０１２４】
ステップＳ１３４では、拡大枠サイズ変更操作があるか否かが判定される。具体的には、制御部３４０が、前述の枠サイズ変更ボタンとして動作するアップボタン１３２Ａおよびダウンボタン１３２Ｂのいずれかの短押操作があったか否かを判定する。ここで、アップボタン１３２Ａは、拡大枠のサイズを大きくするためのボタンである。また、ダウンボタン１３２Ｂは、拡大枠のサイズを小さくするためのボタンである。
【０１２５】
ステップＳ１３４において、ＹＥＳならば、ステップＳ１３６に進む。一方、ステップＳ１３４において、ＮＯならば、後述するステップＳ１４０に進む。
【０１２６】
ステップＳ１３６では、画像更新処理が行なわれる。画像更新処理では、制御部３４０が、縮小撮像画像内に配置された拡大枠のサイズを、ステップＳ１３４において短押操作があった枠サイズ変更ボタンに基づいて変更させた縮小撮像画像と、縮小撮像画像に配置された拡大枠内の画像を拡大した画像とを、表示した複数同時表示画像を生成する。
【０１２７】
ステップＳ１３４において、たとえば、アップボタン１３２Ａの短押操作があった場合、制御部３４０は、たとえば、図７の縮小撮像画像Ｇ１２１内に配置された拡大枠ＧＳ１０のサイズを、上下左右に所定画素（たとえば、２画素）だけ大きくさせた縮小撮像画像と、縮小撮像画像に配置された拡大枠内の画像を拡大した画像とを表示した複数同時表示画像を生成する。
【０１２８】
また、ステップＳ１３４において、たとえば、ダウンボタン１３２Ｂの短押操作があった場合、制御部３４０は、たとえば、縮小撮像画像Ｇ１２１内に配置された拡大枠ＧＳ１０のサイズを、上下左右に所定画素（たとえば、２画素）だけ小さくさせた縮小撮像画像と、縮小撮像画像に配置された拡大枠内の画像を拡大した画像とを表示した複数同時表示画像を生成する。
【０１２９】
そして、制御部３４０は、生成した複数同時表示画像を、メイン表示部１１０Ａに表示させる。その後、ステップＳ１４０へ進む。
【０１３０】
ステップＳ１４０では、保存操作があるか否かが判定される。具体的には、制御部３４０が、前述の保存ボタンとして動作する決定ボタン２３５Ｅの短押操作があったか否かを判定する。ステップＳ１４０において、ＹＥＳならば、後述するステップＳ１４２に進む。一方、ステップＳ１４０において、ＮＯならば、再度、ステップＳ１３０の処理が行なわれる。
【０１３１】
再び、図７を参照して、画像Ｇ１２０Ａは、ステップＳ１３０，Ｓ１３２，Ｓ１４０の処理が複数回繰り返されることにより、制御部３４０により生成された一例としての複数同時表示画像である。
【０１３２】
画像Ｇ１２０Ａには、縮小撮像画像Ｇ１２１Ａと、縮小撮像画像Ｇ１２１Ａ内に配置された拡大枠ＧＳ１０内の画像を拡大した部分拡大画像Ｇ１２２Ａとが配置される。なお、画像Ｇ１２０Ａには、さらに、前述のボタン画像Ｇ１１８も配置される。
【０１３３】
以上のように、複数同時表示画像（たとえば、画像Ｇ１２０）をメイン表示部１１０Ａに表示することで、ユーザは、拡大枠を、縮小撮像画像内の特定部位を囲む所望の位置へ容易に、かつ、素早く移動させることができる。ここで、特定部位とは、たとえば、被写体の顔の部分である（縮小撮像画像Ｇ１２１Ａ参照）。これにより、ユーザは、撮像画像内の所望の特定部位が、たとえば、ピンぼけ等がなく、上手く撮れているか容易に確認することができる。
【０１３４】
図８は、カメラモード時処理において、メイン表示部１１０Ａに表示される画像を示す図である。図８（Ａ）および図８（Ｂ）を参照して、画像Ｇ１２０Ｂおよび画像Ｇ１２０Ｃは、ステップＳ１３４，Ｓ１３６，Ｓ１４０の処理が１回以上繰り返されることにより、制御部３４０により生成された一例としての複数同時表示画像である。
【０１３５】
画像Ｇ１２０Ｂは、拡大枠のサイズが大きくされた場合の複数同時表示画像である。画像Ｇ１２０Ｂには、図７の縮小撮像画像Ｇ１２１内に配置された拡大枠ＧＳ１０のサイズを、上下左右に大きくさせた縮小撮像画像Ｇ１２１Ｂと、縮小撮像画像Ｇ１２１Ｂに配置された、サイズが変更された拡大枠ＧＳ１０内の画像を拡大した部分拡大画像Ｇ１２２Ｂとが配置される。なお、画像Ｇ１２０Ｂには、さらに、前述のボタン画像Ｇ１１８も配置される。
【０１３６】
画像Ｇ１２０Ｃは、拡大枠のサイズが小さくされた場合の複数同時表示画像である。画像Ｇ１２０Ｃには、図７の縮小撮像画像Ｇ１２１内に配置された拡大枠ＧＳ１０のサイズを、上下左右に小さくさせた縮小撮像画像Ｇ１２１Ｃと、縮小撮像画像Ｇ１２１Ｃに配置された、サイズが変更された拡大枠ＧＳ１０内の画像を拡大した部分拡大画像Ｇ１２２Ｃとが配置される。なお、画像Ｇ１２０Ｃには、さらに、前述のボタン画像Ｇ１１８も配置される。
【０１３７】
以上のように、拡大枠のサイズを変更することで、部分拡大画像が表示する撮像画像内の画像のサイズを変更することができる。したがって、撮像画像内の被写体に対して、拡大枠が適切な大きさでない場合でも、撮像画像内の被写体に対して、拡大枠を適切な大きさに変更することができる。その結果、ユーザは、撮像画像内の所望の部分が、たとえば、ピンぼけ等がなく、上手く撮れているか、より詳細に確認することができる。
【０１３８】
再び、図６を参照して、前述のステップＳ１４０において、ＹＥＳならば、後述するステップＳ１４２に進む。
【０１３９】
ステップＳ１４２では、画像記憶処理が行なわれる。画像記憶処理では、制御部３４０が、一時記憶部３３２に記憶された撮像画像データを、記憶部３３０または記録媒体７０に記憶（保存）させる処理（以下、記憶処理ともいう）を行なう。また、制御部３４０は、記憶処理が開始されてから終了するまでの間、撮像画像データを保存中である旨を示す保存中画像を、メイン表示部１１０Ａに表示させる。
【０１４０】
図９は、一例としての保存中画像Ｇ１３０を示す図である。図９を参照して、保存中画像Ｇ１３０には、保存中である撮像画像Ｇ１１２と、撮像画像データを保存中である旨を示すメッセージとが表示される。
【０１４１】
再び、図６を参照して、ステップＳ１４２の処理が終了すると、このカメラモード時処理は終了する。
【０１４２】
次に、前述した処理終了判定処理の処理について説明する。処理終了判定処理は、前述したように、カメラモード時処理が終了するまで、カメラモード時処理と並列して同時に実行される処理である。
【０１４３】
処理終了判定処理のステップＳ２１０では、終了操作があるか否かが判定される。具体的には、制御部３４０が、前述の処理中断ボタンとして動作するボタン２３４の短押操作があったか否かを判定する。ステップＳ２１０において、ＹＥＳならば、ステップＳ２１２に進む。一方、ステップＳ２１０において、ＮＯならば、再度、ステップＳ２１０の処理が行なわれる。
【０１４４】
ステップＳ２１２では、制御部３４０が、カメラモード時処理において、ステップＳ１２０〜ステップＳ１４０の間のどの処理が行なわれていても、実行中の処理を中断させる。たとえば、カメラモード時処理において、ステップＳ１３２の処理が実行されていた場合、制御部３４０は、ステップＳ１３２の処理の実行を中断させる。その後、ステップＳ２１４に進む。
【０１４５】
ステップＳ２１４では、撮像画像を記憶しないことを確認するための画像非記憶確認処理が行なわれる。画像非記憶確認処理では、制御部３４０が、撮像画像データを、記憶部３３０および記録媒体７０に記憶させずに、次の撮像を行なうことを問合せるための画像非記憶確認画像を、メイン表示部１１０Ａに表示させる。
【０１４６】
図１０は、一例としての画像非記憶確認画像Ｇ１４０を示す図である。図１０を参照して、画像非記憶確認画像Ｇ１４０には、一例として、撮像画像Ｇ１１２と、撮像した画像を保存せず次の撮像を行なうことを問合せるためのメッセージとが表示される。
【０１４７】
再び、図６を参照して、ステップＳ２１４の処理が終了すると、ステップＳ２１６に進む。
【０１４８】
ステップＳ２１６では、制御部３４０が、一時記憶部３３２に記憶されている撮像画像データを消去する。その後、この処理終了判定処理は終了し、再度、カメラモード時処理のステップＳ１１０の処理が行なわれる。
【０１４９】
以上説明したように、本実施の形態によれば、撮像画像データを、記憶部３３０および記録媒体７０に記憶する前に、複数同時表示画像をメイン表示部１１０Ａに表示させる。複数同時表示画像は、撮像画像を縮小した縮小撮像画像と、縮小撮像画像に配置された拡大枠内の画像を拡大した画像とを表示した画像である。そのため、複数同時表示画像をメイン表示部１１０に表示した状態で、拡大枠を縮小撮像画像内の所望の位置へ容易に移動させることができる。
【０１５０】
したがって、撮像画像内の所望の部分が、たとえば、ピンぼけ等がなく、上手く撮れているか、素早く、かつ、容易に確認することができる。
【０１５１】
また、上記確認により、撮像画像の所望の部分が、上手く撮れていない場合、すなわち、撮像画像が、撮像失敗画像である場合、前述の終了操作を行なうことで、撮像画像データを、記憶部３３０および記録媒体７０に記憶することなく、次の撮像に移ることができる。
【０１５２】
したがって、撮像画像が、撮像失敗画像である場合、記憶部３３０および記録媒体７０に記憶された画像を削除するといった無駄な手間をユーザに生じさせることなく、記憶部３３０または記録媒体７０の記憶領域の無駄な使用を防ぐことができるという効果を奏する。
【０１５３】
＜第１の実施の形態の変形例＞
第１の実施の形態の変形例では、被写体が複数である場合に、複数の被写体の各々の所望の部分の画質を確認するための処理の説明を行なう。本実施の形態における、カメラ付端末装置は、第１の実施の形態のカメラ付端末装置１０００と同様なので詳細な説明は繰り返さない。
【０１５４】
本実施の形態では、第１の実施の形態と同様、カメラ付端末装置１０００がカメラモードで、かつ、カメラ付端末装置１０００が図１の状態の場合、決定ボタン２３５Ｅはシャッターボタンとして動作する。カメラ付端末装置１０００がカメラモードで、かつ、カメラ付端末装置１０００が図２の状態の場合、アップボタン１３２Ａはシャッターボタンとして動作する。また、カメラ付端末装置１０００がカメラモードで、かつ、カメラ付端末装置１０００が図１の状態でかつ、メイン表示部１１０Ａに複数の撮像画像が表示されている場合、決定ボタン２３５Ｅは保存ボタンとして動作する。以下、本実施の形態では、カメラ付端末装置１０００が図１の状態であるとして説明する。
【０１５５】
また、カメラ付端末装置１０００がカメラモードで、かつ、カメラ付端末装置１０００が図１の状態の場合、ボタン２３３は撮像した画像を拡大することが可能な状態にするための拡大ボタンとして動作する。
【０１５６】
また、カメラ付端末装置１０００がカメラモードで、かつ、カメラ付端末装置１０００が図１の状態の場合、アップボタン１３２Ａおよびダウンボタン１３２Ｂは、前述した拡大枠のサイズを変更するための枠サイズ変更ボタンとして動作する。
【０１５７】
また、カメラ付端末装置１０００がカメラモードで、かつ、カメラ付端末装置１０００が図１の状態の場合、ボタン２３４は、実行中の処理を中断するための処理中断ボタンとして動作する。
【０１５８】
まず、被写体の所望の部分の画質を確認するために、事前に設定する処理について説明する。まず、メイン表示部１１０Ａに、たとえば、図６の画像Ｇ１１０が表示されている場合、ボタン画像Ｇ１１８に対して、機能ボタン２３１およびマルチガイドボタン２３５の操作を行ない、制御部３４０に、事前設定するための画像（以下、事前設定画像ともいう）をメイン表示部１１０Ａに表示させる。
【０１５９】
図１１は、カメラモード時処理において、メイン表示部１１０Ａに表示される画像を示す図である。図１１を参照して、事前設定画像Ｇ２１０は、画質を確認する所望の部分（特定部位）が顔である場合の画像である。なお、画質を確認する所望の部分（特定部位）は、顔に限定されることなく、他の部分でもよい。
【０１６０】
事前設定画像Ｇ２１０には、被写体の顔の画質または顔の状態を確認するための顔チェックモードをオンまたはオフに設定するためのモード設定画像Ｇ２１２と、前述のボタン画像Ｇ１１８とが表示される。
【０１６１】
モード設定画像Ｇ２１２には、一例として、「ＯＮ」の文字列と、「ＯＦＦ」の文字列とが表示される。「ＯＮ」の文字列は、顔チェックモードをオンにするための文字列である。「ＯＦＦ」の文字列は、顔チェックモードをオフにするための文字列である。なお、モード設定画像Ｇ２１２は、マルチガイドボタン２３５の操作により、「ＯＮ」の文字列が選択されている状態を示す画像である。
【０１６２】
メイン表示部１１０Ａに事前設定画像Ｇ２１０が表示されているときに、マルチガイドボタン２３５の決定ボタン２３５Ｅの短押操作があると、制御部３４０は、メイン表示部１１０Ａに画像Ｇ２１０Ａを表示する。
【０１６３】
画像Ｇ２１０Ａには、確認画像Ｇ２１２Ａと、ボタン画像Ｇ１１８とが表示される。確認画像Ｇ２１２Ａは、顔チェックモードをオンにすることを確認するための画像である。
【０１６４】
メイン表示部１１０Ａに画像Ｇ２１０Ａが表示されているときに、マルチガイドボタン２３５の決定ボタン２３５Ｅの短押操作があると、制御部３４０は、顔チェックフラグをオンに設定する。ここで、顔チェックフラグは、記憶部３３０に予め記憶されているフラグである。顔チェックフラグは、初期状態ではオフに設定されている。顔チェックフラグがオンの場合、顔チェックモードはオンである。一方、顔チェックフラグがオフの場合、顔チェックモードはオフである。
【０１６５】
次に、カメラ付端末装置１０００がカメラモードの場合に実行される処理（以下、カメラモード時処理Ａともいう）について説明する。以下、カメラモード時処理Ａが開始される直前には、撮像部２７０が撮像している画像が、メイン表示部１１０Ａに表示されているとする。
【０１６６】
図１２は、カメラモード時処理Ａのフローチャートを示す。図１２を参照して、ステップＳ３１０では、図５のカメラモード時処理のステップＳ１１０と同様な処理が行なわれるので詳細な説明は繰り返さない。ステップＳ３１０において、ＹＥＳならば、ステップＳ３１２に進む。一方、ステップＳ３１０において、ＮＯならば、再度、ステップＳ３１０の処理が行なわれる。
【０１６７】
ステップＳ３１２では、撮像画像データ一時記憶処理が行なわれる。撮像画像データ一時記憶処理では、制御部３４０が、撮像画像データを取得するための制御指示を、撮像部２７０へ送信する。撮像部２７０は、当該制御指示を受信すると、前述の受光部により得られた電気信号を撮像画像データに変換する。
【０１６８】
図１３は、カメラモード時処理Ａにおいて、メイン表示部１１０Ａに表示される画像を示す図である。図１３を参照して、画像Ｇ３１０は、ステップＳ３１２により得られた撮像画像データに基づく撮像画像Ｇ３１２が配置された画像である。撮像画像Ｇ３１２には、一例として、撮像対象となる被写体Ｈ１１，Ｈ１２，Ｈ１３が表示されているとする。なお、画像Ｇ３１０には、前述のボタン画像Ｇ１１８も配置される。
【０１６９】
再び、図１２を参照して、ステップＳ３１２では、さらに、撮像部２７０が、変換した撮像画像データを、制御部３４０へ送信する。制御部３４０は、撮像画像データを受信すると、撮像画像データを、一時記憶部３３２に記憶させる。その後、ステップＳ３１４に進む。
【０１７０】
ステップＳ３１４では、前述のステップＳ１１４と同様な処理が行なわれ、制御部３４０が、画像Ｇ３１０を、メイン表示部１１０Ａに表示させる。その後、ステップＳ３１６に進む。
【０１７１】
ステップＳ３１６では、制御部３４０により、処理終了判定処理Ａが実行される。処理終了判定処理Ａは、カメラモード時処理Ａが終了するまで、カメラモード時処理Ａと並列して同時に実行される処理である。なお、処理終了判定処理Ａの処理については後述する。その後、ステップＳ３２０に進む。
【０１７２】
ステップＳ３２０では、制御部３４０が、前述の拡大ボタンとして動作するボタン２３３の短押操作があったか否かを判定する。ステップＳ３２０において、ＹＥＳならば、ステップＳ３２３に進む。一方、ステップＳ３２０において、ＮＯならば、再度ステップＳ３２０の処理が行なわれる。
【０１７３】
ステップＳ３２３では、顔チェックモードがオンであるか否かが判定される。具体的には、制御部３４０が、記憶部３３０に記憶されている顔チェックフラグがオンであるか否かを判定する。ステップＳ３２３において、ＹＥＳならば、ステップＳ３２５に進む。一方、ステップＳ３２３において、ＮＯならば、図５のＳ１２２の処理が行なわれる。この場合、前述した図５の処理終了判定処理は既に実行されているとする。
【０１７４】
図５のＳ１２２の処理により、メイン表示部１１０Ａに、図１３の画像Ｇ３１０Ａが表示される。画像Ｇ３１０Ａは、撮像画像Ｇ３１２に拡大枠ＧＳ１０が配置された撮像画像Ｇ３１２Ａを表示する画像である。その後、前述したステップＳ１２４の処理が行なわれる。ステップＳ１２４以降の処理は、前述したのと同様なので詳細な説明は繰り返さない。
【０１７５】
ステップＳ３２５では、顔検出処理が行なわれる。顔検出処理では、制御部３４０が、一時記憶部３３２に記憶されている撮像画像データに基づく撮像画像（たとえば、撮像画像Ｇ３１２）内の被写体の特定部位を検出する。本実施の形態では、特定部位は、一例として、顔であるとする。なお、特定部位は、顔に限定されることなく、たとえば、文字やバーコード等のその他の部分であってもよい。
【０１７６】
顔の検出処理は、肌色検出による方法、背景画像との差分を抽出する方法、パターンマッチングから顔らしさを抽出する方法などの公知の方法により行なわれる。なお、撮影画像の被写体が複数の場合、検出される顔も複数となる。
【０１７７】
本実施の形態では、一例として、被写体Ｈ１１，Ｈ１２，Ｈ１３が表示される撮像画像Ｇ３１２に対して、顔検出処理が行なわれるとする。この場合、検出される顔の数は、３つとなる。制御部３４０は、撮像画像Ｇ３１２内の被写体Ｈ１１，Ｈ１２，Ｈ１３の各々に対応づけて、対応する顔を囲む拡大枠のサイズデータと、拡大枠の位置データとを、記憶部３３０に記憶させる。その後、ステップＳ３２６に進む。なお、拡大枠のサイズデータは、撮像画像に対し、相対的なサイズを示すデータである。また、拡大枠の位置データは、撮像画像に対し、相対的な位置を示すデータである。
【０１７８】
ステップＳ３２６では、前述のステップＳ１２６と同様に、複数画像同時表示処理が行なわれる。複数画像同時表示処理では、制御部３４０が、拡大枠のサイズデータおよび拡大枠の位置データに基づいて、撮像画像を縮小した縮小撮像画像と、縮小撮像画像に配置された拡大枠内の画像を拡大した部分拡大画像とを、表示した複数同時表示画像を生成する。なお、前述の顔検出処理は、撮像画像ではなく、縮小撮像画像に対して行なわれてもよい。
【０１７９】
図１４は、カメラモード時処理において、メイン表示部１１０Ａに表示される画像を示す図である。図１４を参照して、画像Ｇ３２０Ｂは、一例としての複数同時表示画像である。画像Ｇ３２０Ｂには、撮像画像Ｇ３１２を縮小した縮小撮像画像Ｇ３２１Ｂが配置される。縮小撮像画像Ｇ３２１Ｂには、被写体Ｈ１１に対応する、拡大枠のサイズデータおよび位置データに基づいた拡大枠ＧＳ１０が、被写体１１の顔を囲むように配置される。
【０１８０】
拡大枠ＧＳ１０は、撮像画像Ｇ３１２に対して行なわれた顔検出処理により検出された複数の特定部位（被写体Ｈ１１，Ｈ１２，Ｈ１３の顔）のうちの１つの特定部位（たとえば、被写体Ｈ１１の顔）の位置に対応する縮小撮像画像Ｇ３２１Ｂ内の位置に配置される。
【０１８１】
画像Ｇ３２０Ｂには、さらに、縮小撮像画像Ｇ３２１Ｂ内に配置された拡大枠ＧＳ１０内の画像を拡大した部分拡大画像Ｇ３２２Ｂと、前述のボタン画像Ｇ１１８と、ボタン画像Ｇ３２９とが配置される。
【０１８２】
ボタン画像Ｇ３２９は、拡大枠ＧＳ１０の位置を、現在の特定部位（たとえば、被写体Ｈ１１の顔）とは異なる他の特定部位（たとえば、被写体Ｈ１２の顔）の位置へ移動させるためのボタン画像である。ボタン画像Ｇ３２９を押下する処理は、機能ボタン２３２の短押操作により実行される。
【０１８３】
再び、図６を参照して、ステップＳ３２６の複数画像同時表示処理では、さらに、制御部３４０が、生成した複数同時表示画像を、メイン表示部１１０Ａに表示させる。複数同時表示画像は、たとえば、図１４の画像Ｇ３２０Ｂである。その後、ステップＳ３３０に進む。
【０１８４】
ステップＳ３３０では、他の被写体を確認するための操作があるか否かが判定される。具体的には、制御部３４０が、機能ボタン２３２の短押操作があったか否かを判定する。ステップＳ３３０において、ＹＥＳならば、ステップＳ３３２に進む。一方、ステップＳ３３０において、ＮＯならば、後述するステップＳ３３４に進む。
【０１８５】
ステップＳ３３２では、画像更新処理が行なわれる。画像更新処理では、制御部３４０が、縮小撮像画像内に配置された拡大枠を、他の被写体の特定部位（顔）の位置へ移動させた縮小撮像画像と、縮小撮像画像に配置された拡大枠内の画像を拡大した画像とを表示した複数同時表示画像を生成する。
【０１８６】
ステップＳ３３０でＹＥＳと判定されたとき、メイン表示部１１０Ａに表示されている画像が、画像Ｇ３２０Ｂであるとする。この場合、制御部３４０は、被写体Ｈ１２に対応する、拡大枠のサイズデータおよび位置データに基づいて、複数同時表示画像を生成する。
【０１８７】
再び、図１４を参照して、画像Ｇ３２０Ｃは、ステップＳ３３２の処理により生成された、一例としての複数同時表示画像である。画像Ｇ３２０Ｃには、撮像画像Ｇ３１２を縮小した縮小撮像画像Ｇ３２１Ｃが配置される。縮小撮像画像Ｇ３２１Ｃには、被写体Ｈ１２に対応する、拡大枠のサイズデータおよび位置データに基づいた拡大枠ＧＳ１０が、被写体１２の顔を囲むように配置される。
【０１８８】
拡大枠ＧＳ１０は、撮像画像Ｇ３１２に対して行なわれた顔検出処理により検出された複数の特定部位（被写体Ｈ１１，Ｈ１２，Ｈ１３の顔）のうちの１つの特定部位（たとえば、被写体Ｈ１１の顔）以外の特定部位（たとえば、被写体Ｈ１２の顔）の位置に対応する縮小撮像画像Ｇ３２１Ｃ内の位置に配置される。すなわち、機能ボタン２３２の短押操作による移動指示に応じて、拡大枠ＧＳ１０は移動する。
【０１８９】
画像Ｇ３２０Ｃには、さらに、縮小撮像画像Ｇ３２１Ｃ内に配置された拡大枠ＧＳ１０内の画像を拡大した部分拡大画像Ｇ３２２Ｃと、前述のボタン画像Ｇ１１８と、前述のボタン画像Ｇ３２９とが配置される。
【０１９０】
再び、図６を参照して、ステップＳ３３２の画像更新処理では、さらに、制御部３４０が、生成した複数同時表示画像を、メイン表示部１１０Ａに表示させる。複数同時表示画像は、たとえば、図１４の画像Ｇ３２０Ｃである。縮小撮像画像内に複数の被写体が表示されている場合、ステップＳ３３２の処理が行なわれる毎に、拡大枠は、右の被写体の顔の位置へ移動する。なお、複数の被写体のうち、１番右の被写体の顔の位置へ拡大枠が移動した後は、複数の被写体のうち、１番左の被写体の顔の位置へ拡大枠は移動する。
【０１９１】
なお、縮小撮像画像内に１つの被写体のみ存在する場合は、ステップＳ３３２の処理が行なわれても、拡大枠の位置は変化しない。その後、ステップＳ３３４に進む。
【０１９２】
ステップＳ３３４では、ステップＳ１３４と同様に、拡大枠サイズ変更操作があるか否かが判定される。具体的には、制御部３４０が、前述の枠サイズ変更ボタンとして動作するアップボタン１３２Ａおよびダウンボタン１３２Ｂのいずれかの短押操作があったか否かを判定する。
【０１９３】
ステップＳ３３４において、ＹＥＳならば、ステップＳ３３６に進む。一方、ステップＳ３３４において、ＮＯならば、ステップＳ３４０に進む。ステップＳ３３６では、前述のステップＳ１３６と同様な画像更新処理が行なわれるので詳細な説明は繰り返さない。その後、ステップＳ３４０へ進む。
【０１９４】
ステップＳ３４０では、前述のステップＳ１４０と同様な処理が行なわれるので詳細な説明は繰り返さない。ステップＳ３４０において、ＹＥＳならば、後述するステップＳ３４２に進む。一方、ステップＳ３４０において、ＮＯならば、再度、ステップＳ３３０の処理が行なわれる。
【０１９５】
ステップＳ３４２では、画像記憶処理が行なわれる。画像記憶処理では、制御部３４０が、一時記憶部３３２に記憶された撮像画像データを、記憶部３３０または記録媒体７０に記憶（保存）させる記憶処理を行なう。また、制御部３４０は、記憶処理が開始されてから終了するまでの間、撮像画像データを保存中である旨を示す保存中画像を、メイン表示部１１０Ａに表示させる。
【０１９６】
図１５は、一例としての保存中画像Ｇ３３０を示す図である。図１５を参照して、保存中画像Ｇ３３０には、保存中である撮像画像Ｇ３１２と、撮像画像データを保存中である旨を示すメッセージとが表示される。
【０１９７】
再び、図１２を参照して、ステップＳ３４２の処理が終了すると、このカメラモード時処理Ａは終了する。
【０１９８】
次に、前述した処理終了判定処理Ａの処理について説明する。処理終了判定処理は、前述したように、カメラモード時処理Ａが終了するまで、カメラモード時処理Ａと並列して同時に実行される処理である。
【０１９９】
処理終了判定処理ＡのステップＳ４１０では、前述のステップＳ２１０と同様な処理が行なわれるので詳細な説明は繰り返さない。ステップＳ４１０において、ＹＥＳならば、ステップＳ４１２に進む。一方、ステップＳ４１０において、ＮＯならば、再度、ステップＳ４１０の処理が行なわれる。
【０２００】
ステップＳ４１２では、制御部３４０が、カメラモード時処理Ａにおいて、ステップＳ３２０〜ステップＳ３４０の間のどの処理が行なわれていても、実行中の処理を中断させる。たとえば、カメラモード時処理Ａにおいて、ステップＳ３３２の処理が実行されていた場合、制御部３４０は、ステップＳ３３２の処理の実行を中断させる。その後、ステップＳ４１４に進む。
【０２０１】
ステップＳ４１４では、撮像画像を記憶しないことを確認するための画像非記憶確認処理が行なわれる。画像非記憶確認処理では、制御部３４０が、撮像画像データを、記憶部３３０および記録媒体７０に記憶させずに、次の撮像を行なうことを問合せるための画像非記憶確認画像を、メイン表示部１１０Ａに表示させる。
【０２０２】
図１６は、一例としての画像非記憶確認画像Ｇ３４０を示す図である。図１６を参照して、画像非記憶確認画像Ｇ３４０には、一例として、撮像画像Ｇ３１２と、撮像した画像を保存せず次の撮像を行なうことを問合せるためのメッセージとが表示される。
【０２０３】
再び、図１２を参照して、ステップＳ４１４の処理が終了すると、ステップＳ４１６に進む。
【０２０４】
ステップＳ４１６では、制御部３４０が、一時記憶部３３２に記憶されている撮像画像データを消去する。その後、この処理終了判定処理Ａは終了し、再度、カメラモード時処理ＡのステップＳ３１０の処理が行なわれる。
【０２０５】
以上説明したように、本実施の形態によれば、撮像画像内の複数の特定部位（被写体の顔）を自動で検出し、簡単な操作で、複数の被写体において、たとえば、瞳を閉じた被写体がなく、上手く撮れているか、素早く、かつ、容易に確認することができる。
【０２０６】
また、上記確認により、撮像画像の所望の部分が、上手く撮れていない場合、すなわち、撮像画像が、撮像失敗画像である場合、前述の終了操作を行なうことで、撮像画像データを、記憶部３３０および記録媒体７０に記憶することなく、次の撮像に移ることができる。
【０２０７】
したがって、撮像画像が、撮像失敗画像である場合、記憶部３３０および記録媒体７０に記憶された画像を削除するといった無駄な手間をユーザに生じさせることなく、記憶部３３０または記録媒体７０の記憶領域の無駄な使用を防ぐことができるという効果を奏する。
【０２０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０９】
【図１】開いた状態のカメラ付端末装置を正面から示した図である。
【図２】閉じた状態のカメラ付端末装置の斜視図である。
【図３】閉じた状態のカメラ付端末装置の背面図である。
【図４】カメラ付端末装置の内部構成を示したブロック図である。
【図５】カメラモード時処理のフローチャートを示す。
【図６】カメラモード時処理において、メイン表示部に表示される画像を示す図である。
【図７】カメラモード時処理において、メイン表示部に表示される画像を示す図である。
【図８】カメラモード時処理において、メイン表示部に表示される画像を示す図である。
【図９】一例としての保存中画像を示す図である。
【図１０】一例としての画像非記憶確認画像を示す図である。
【図１１】カメラモード時処理において、メイン表示部に表示される画像を示す図である。
【図１２】カメラモード時処理Ａのフローチャートを示す。
【図１３】カメラモード時処理Ａにおいて、メイン表示部に表示される画像を示す図である。
【図１４】カメラモード時処理において、メイン表示部に表示される画像を示す図である。
【図１５】一例としての保存中画像を示す図である。
【図１６】一例としての画像非記憶確認画像を示す図である。
【符号の説明】
【０２１０】
１１０Ａ  メイン表示部、１１０Ｂ  サブ表示部、３３０  記憶部、３４０  制御部、１０００  カメラ付端末装置。
【図１】
2007174528.tif 000003
【図２】
2007174528.tif 000004
【図３】
2007174528.tif 000005
【図４】
2007174528.tif 000006
【図５】
2007174528.tif 000007
【図６】
2007174528.tif 000008
【図７】
2007174528.tif 000009
【図８】
2007174528.tif 000010
【図９】
2007174528.tif 000011
【図１０】
2007174528.tif 000012
【図１１】
2007174528.tif 000013
【図１２】
2007174528.tif 000014
【図１３】
2007174528.tif 000015
【図１４】
2007174528.tif 000016
【図１５】
2007174528.tif 000017
【図１６】
2007174528.tif 000018